【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
複数の宝石を宝飾品物品中に交換可能に設置することができる宝石を保持するためのシステムであって、該システムは、
ａ）宝飾品物品内に収容される、受容小室およびバイアシング要素を含む固定された部分、
ｂ）宝石を保持するためのシート部分、および前記受容小室内に挿入するために適合されたインサート要素を有する、取り外し可能な部分、
ｃ）該固定された部分はさらに該宝飾品物品を身につけている間に露出される外側端、該宝飾品物品を身につけている間に隠される内側端、および、固定手段を有し、内側端と外側端の間に配置された内側壁を有する、
ｄ）該固定された部分は、その内側端を介して受容小室内に入るインサート要素のための通路のために適合し、該固定された部分内の該取り外し可能な部分のシーティングのために適合し、さらに該外側端に隣接したシート部分内に配置された宝石のディスプレイのために適合し、固定された取り外し可能な部分は挿入部分を固定部分に挿入する際に長さ軸方向に伸び、固定された部分の内側壁上の確保手段でインサート要素の回転可能なエンゲージメントを介して、取り外し可能な部分は固定された部分に対して、収容され、
ｅ）インサート要素が、該固定された部分内の取り外し可能な部分の回転の際にバイアシング要素をエンゲージし、バイアシング要素は固定された部分および取り外し可能な部分が収容されたままにするように軸の長さ方向に指向した力を発生し、固定された部分および取り外し可能な部分が収容されたままで互いに軸方向で置き換わらないようにする、
ｆ）インサート入要素があらかじめ決定された形状を有し、内側端が通路のパターンを形成する複数の通路を有し、複数の通路のそれぞれの通路はインサート要素の形状に対応した形状を有する、
を含む。
【請求項２】
外側端と内側端がそれぞれ直径を有し、外側端の直径が内側端の直径よりも小さく、インサート要素が外側端を完全に通過することを防止する、請求項１記載のシステム。
【請求項３】
少なくとも１つのインサート要素がフィン型をしている、請求項１記載のシステム。
【請求項４】
あらかじめ決定された形状および通路のパターンが、インサート要素が受容小室へ一方向で挿入されるように配置されている、請求項１記載のシステム。
【請求項５】
複数の宝石を宝飾品物品中に交換可能に設置することができる宝石を保持するためのシステムであって、該システムは、
ａ）受容小室、およびバイアシング要素を含む固定された部分であって、該固定された部分が宝飾品物品内に収容されるように適合されるもの、
ｂ）宝石を保持するように適合されたシート部分を含み、さらに前記受容小室内に挿入するために適合された少なくとも１つのインサート要素を有する、取り外し可能な部分、を含み、
ｃ）該固定された部分はさらに外側端、内側端、および固定手段を有し内側端と外側端の間に配置された内側壁を有し、該外側端は該宝飾品物品を身につけている間に露出されるように適合され、該内側端は該宝飾品物品を身につけている間に隠されるように適合され、
ｄ）該固定された部分は、その内側端を介して受容小室内に入る少なくとも１つのインサート要素のための通路のために、該固定された部分内の該取り外し可能な部分のシーティングのために、さらに該外側端に隣接したシート部分内に配置された宝石のディスプレイのために適合し、
ｅ）少なくとも１つのインサート要素が、該固定された部分内の取り外し可能な部分の回転の際に、バイアシング要素をエンゲージする、
ｆ）少なくとも１つのインサート要素があらかじめ決定された形状を有し、内側端が通路のパターンを形成する複数の通路を有し、複数の通路のそれぞれの通路は少なくとも１つのインサート要素の形状に対応した形状を有する、
ｇ）バイアシング要素がさらに実質的に環状のバネ要素を含む、
を含む、システム。
【請求項６】
バイアシング要素がさらに少なくとも１つの弦状部分を含む、請求項５記載のシステム。
【請求項７】
少なくとも１つのインサート要素の上に配置された、少なくとも１つの弦状部分とバイアスにエンゲージメントするための少なくとも１つの溝をさらに含む、請求項６記載のシステム。
【請求項８】
複数の宝石を宝飾品物品中に交換可能に設置することができる宝石を保持するためのシステムであって、該システムは、
ａ）受容小室、およびバイアシング要素を含む固定された部分であって、該固定された部分が宝飾品物品内に収容されるように適合されるもの、
ｂ）宝石を保持するように適合されたシート部分を含み、さらに前記受容小室内に挿入するために適合された少なくとも１つのインサート要素を有する、取り外し可能な部分、を含み、
ｃ）該固定された部分はさらに外側端、内側端、および固定手段を有し内側端と外側端の間に配置された内側壁を有し、該外側端は該宝飾品物品を身につけている間に露出されるように適合され、該内側端は該宝飾品物品を身につけている間に隠されるように適合され、
ｄ）該固定された部分は、その内側端を介して受容小室内に入る少なくとも１つのインサート要素のための通路のために、該固定された部分内の該取り外し可能な部分のシーティングのために、さらに該外側端に隣接したシート部分内に配置された宝石のディスプレイのために適合し、
ｅ）少なくとも１つのインサート要素が、該固定された部分内の取り外し可能な部分の回転の際に、バイアシング要素をエンゲージする、
ｆ）少なくとも１つのインサート要素があらかじめ決定された形状を有し、内側端が通路のパターンを形成する複数の通路を有し、複数の通路のそれぞれの通路は少なくとも１つのインサート要素の形状に対応した形状を有する、
ｇ）バイアシング要素が、固定された部分の内側端の方向にバイアスされている、複数のタブ部分を有する、
を含む、システム。
【請求項９】
受容小室の中の内側壁上に配置された停止表面をさらに有し、固定された部分内での取り外し可能な部分の回転を制限する、請求項１記載のシステム。
【請求項１０】
内側端から外側端へのみシート部分内に置かれた宝石が通過するように、該受容要素が適合される、請求項１記載のシステム。
【請求項１１】
第一の部分が宝飾品物品内に一体にマウントされている、請求項１記載のシステム。
【請求項１２】
宝石がシート部分に固定されている、請求項１記載のシステム。
【請求項１３】
固定された部分と取り外し可能な部分とのエンゲージメントおよびディスエンゲージメントするための、取り外し可能な部分のエンゲージメントのファシリテイターツールをさらに含む、請求項１記載のシステム。
【請求項１４】
ａ）外側端開口および外側端開口寸法を有する外側端および、内側端開口および内側端開口寸法を有する内側端を含む受容要素であって、内側端開口は通路のパターンを形成する複数の通路を有する、
ｂ）該内側端と外側端との間に配置されたバイアシング要素、
ｃ）宝石のための宝石シートおよびエンゲージメント部分を含み、外側端開口部を通る通路のための宝石シート、外側端開口部の近くに宝石を飾るために内側開口部を通って保持要素内に、複数の通路を通り、軸方向に挿入するための複数のインサート要素を有するエンゲージメント部分を有するセッティングであって、複数の挿入部分のそれぞれは内側端開口通路に対応するあらかじめ決定された形状を有し、エンゲージメント部分は保持要素内のセッティングの回転を介して保持要素をエンゲージする、
ｄ）セッティングを保持要素内に挿入する際に保持要素とセッティングは長さ方向の軸に沿って伸び、バイアシング要素は保持要素とセッティングがエンゲージされたままにするように軸の長さ方向に指向した力を発生し、保持要素とセッティングがエンゲージされたままで互いに軸方向で置き換わらないようにする、
を含む、宝飾品物品。
【請求項１５】
外側端開口の直径が内側端開口の直径よりも小さく、セッティング要素が外側端を完全に通過することを防止する、請求項１４記載の宝飾品物品。
【請求項１６】
通路のパターンと複数のインサート要素がフィン型をしている、請求項１４記載の宝飾品物品。
【請求項１７】
複数のインサート要素がセッティングの周囲に対称に、半径方向に配置されている、請求項１４記載の宝飾品物品。
【請求項１８】
その上に配置された追加の宝石を有し、保持要素との取り外し可能なエンゲージメントに適合された、少なくとも１つの追加のセッティングをさらに有する、請求項１４記載の宝飾品物品。
【請求項１９】
保持要素とセッティングとのエンゲージおよびディスエンゲージするために、セッティングをエンゲージするためのファシリテイターツールをさらに含む、請求項１４記載の宝飾品物品。
【請求項２０】
宝石および宝石シートとの間に配置されたワッシャーをさらに含む、請求項１４記載の宝飾品物品。
【請求項２１】
宝飾品物品とエンゲージ可能なカバーであって、保持要素内でのセッティングの回転を防止し、保持要素内にエンゲージメント部分が一旦確保されたら該保持要素からのセッティングの取り外しを防止する、カバーを有する、請求項１４記載の宝飾品物品。
【請求項２２】
ａ）複数のセッティング内の複数の宝石のセット、
ｂ）該複数のセッティングのそれぞれを別個に、かつ交換可能に受容するための受容要素を有する宝飾品物品であって、該受容要素がインサート端、ディスプレー端、バイアシング要素、および回転停止要素を有し、インサート端が複数の通路を有し、挿入端開口通路を有し、複数の通路は通路のパターンを形成し、複数のセッティングのそれぞれは複数のインサート要素を有し、複数のインサート要素のそれぞれはあらかじめ決定された形状を有し、このあらかじめ決定された形状は挿入端開口通路に対応する、
ｃ）該複数のセッティングのそれぞれは複数のインサート要素の複数の通路の少なくとも１つを通って軸方向に挿入可能であり、複数のセッティングのそれぞれは複数のセッティングのそれぞれの回転により、受容要素と、回転が回転停止要素により禁止されるまでエンゲージされる、
ｄ）ディスプレー端を複数のセッティングのそれぞれが完全に通過しないような寸法と配置を受容要素が有する、
ｅ）複数のセッティングのそれぞれを受容要素内に挿入する際に、受容要素と複数のセッティングのそれぞれは長さ方向の軸に沿って伸び、バイアシング要素は受容要素と複数のセッティングのそれぞれがエンゲージされたままにするように軸の長さ方向に指向した力を発生し、受容要素と複数のセッティングのそれぞれがエンゲージされたままで互いに軸方向で置き換わらないようにする、
宝飾システム。
【請求項２３】
それぞれが交換可能に複数のセッティングとエンゲージ可能な複数の宝飾品物品を有する、請求項２２記載の宝飾システム。
【請求項２４】
複数のセッティングを同定する手段を有する、請求項２２記載の宝飾システム。
【請求項２５】
同定手段の一体性、および同定手段とそれぞれのセッティングとの関係を保証するための、該同定手段をシーリングする手段をさらに含む、請求項２２記載の宝飾システム。
【請求項２６】
複数の宝飾品物品であって、それぞれが複数のセッティングと交換可能にエンゲージ可能であるものを含む、請求項２２記載の宝飾システム。
【請求項２７】
宝石セッティングに対する同定手段の一体性を保証するための同定手段をシーリングする手段をさらに含む、請求項２６記載の宝飾品物品。
【請求項２８】
同定手段がマイクロチップである、請求項２６記載の宝飾品物品。
【請求項２９】
マイクロチップが使用者の情報をプログラムすることができるものである、請求項２８記載の宝飾品物品。
【請求項３０】
同定手段が宝石セッティングの表面に配置されたバーコードである、請求項２６記載の宝飾品物品。
【請求項３１】
同定手段が宝石セッティングの表面に配置された刻印である、請求項２６記載の宝飾品物品。